(57)【要約】【課題】  塵埃を捨てる際に集塵部の保持性を良好にし、かつホース接続口から塵埃がこぼれることなく塵埃を捨てることができる電気掃除機を提供する。【解決手段】  上部が開放した円筒形の集塵部１１０と、集塵部１１０の上部に取付金具１１３を介して着脱可能に配置された掃除機本体部１２０と、集塵部１１０と掃除機本体部１２０とを移動可能に支持する台座部１３０とから構成される電気掃除機本体１００を有する電気掃除機１において、電気掃除機本体１００は、複数のハンドル部１１２、１３４を備え、複数のハンドル部１１２、１３４を、それぞれ高さの異なる位置に配置する。【選択図】図１
2014193235.tif 000002
【特許請求の範囲】
【請求項１】
上部が開放した円筒形の集塵部と、前記集塵部の上部に取付金具を介して着脱可能に配置された掃除機本体部と、前記集塵部と前記掃除機本体部とを移動可能に支持する台座部とから構成される電気掃除機本体を有する電気掃除機において、
前記電気掃除機本体は、複数のハンドル部を備え、
前記複数のハンドル部は、それぞれ高さの異なる位置に配置されている
ことを特徴とする電気掃除機。
【請求項２】
請求項１に記載の電気掃除機において、
前記複数のハンドル部の一つは、前記集塵部に設けられている
ことを特徴とする電気掃除機。
【請求項３】
請求項１に記載の電気掃除機において、
前記複数のハンドル部の一つは、前記台座部に設けられている
ことを特徴とする電気掃除機。
【請求項４】
請求項２または３に記載の電気掃除機において、
前記集塵部に設けられたハンドル部と前記台座部に設けられたハンドル部は、一直線上となるように配置される
ことを特徴とする電気掃除機。
【請求項５】
上部が開放した円筒形の集塵部と、前記集塵部の上部に取付金具を介して着脱可能に配置された掃除機本体部と、前記集塵部と前記掃除機本体部とを移動可能に支持する台座部とから構成される電気掃除機本体を有する電気掃除機において、
前記電気掃除機本体は、前記集塵部の外周面に設けられたホース接続口と、前記ホース接続口の上方に設けられた第１ハンドル部と、前記第１ハンドル部とは高さが異なる位置に配置された第２ハンドル部とを備えている
ことを特徴とする電気掃除機。
【請求項６】
請求項５に記載の電気掃除機において、
前記ホース接続口と前記第１ハンドル部は、前記集塵部の前面に配置され、
前記第２ハンドル部は、前記集塵部の側面の前記第１ハンドル部の位置よりも高い位置に配置される
ことを特徴とする電気掃除機。
【請求項７】
上部が開放した円筒形の集塵部と、前記集塵部の上部に取付金具を介して着脱可能に配置された掃除機本体部と、前記集塵部と前記掃除機本体部とを移動可能に支持する台座部とから構成される電気掃除機本体を有する電気掃除機において、
前記集塵部は、外周面に設けられたホース接続口と、前記ホース接続口の上方に設けられた第１ハンドル部とを備え、
前記台座部は、前記集塵部の下方に取り付けられる台座部本体と、前記台座部本体に形成された第２ハンドル部とを備えている
ことを特徴とする電気掃除機。
【請求項８】
請求項７に記載の電気掃除機において、
前記ホース接続口と前記第１ハンドル部は、前記集塵部の前面に配置され、
前記第２ハンドル部は、前記台座部本体の側方部分に形成される
ことを特徴とする電気掃除機。
【請求項９】
請求項７に記載の電気掃除機において、
前記ホース接続口と前記第１ハンドル部は、前記集塵部の前面に配置され、
前記第２ハンドル部は、前記台座部本体の前方部分に形成される
ことを特徴とする電気掃除機。
【請求項１０】
請求項５から８の何れかに記載の電気掃除機において、
前記第２ハンドル部は、前記第１ハンドル部に対して９０度ずれた位置に配置されている
ことを特徴とする電気掃除機。
【発明の詳細な説明】
【技術分野】
【０００１】
本発明は、円筒型の電気掃除機本体、例えば、電気掃除機本体にペール缶を使用した電気掃除機に関するものである。
【背景技術】
【０００２】
従来、ペール缶のような円筒型の電気掃除機本体を有する電気掃除機として、例えば、特許文献１から特許文献３で示すものが知られている。
【０００３】
円筒型の電気掃除機本体を有するこれらの電気掃除機は、ホース接続口を備え、上部が開放した円筒型の集塵部と、集塵部の上部に取付金具を介して着脱可能に設けられる掃除機本体部と、集塵部と掃除機本体部を移動可能に支持する台座部とを備えており、掃除機本体部と集塵部と台座部とで電気掃除機本体を構成している。
【０００４】
この従来の電気掃除機では、塵埃を含む空気流を、ホース接続口に接続された吸引ホースを介して電気掃除機本体の内部に吸引し、吸引した塵埃を含む空気流を、塵埃と空気流に分離する。
【０００５】
そして、分離された塵埃は集塵部に集塵され、空気流は掃除機本体部に設けられた排気口より外部へ排気されるようになっている。
【先行技術文献】
【特許文献】
【０００６】
【特許文献１】特開平１−２１２５２３号公報
【特許文献２】特開２００２−３３０９０２号公報
【特許文献３】特開２０１０−１０４３９０号公報
【発明の概要】
【発明が解決しようとする課題】
【０００７】
円筒型の電気掃除機本体を有する電気掃除機では、集塵部に溜まった塵埃を捨てる際、まずはホース接続口から吸引ホースを取り外し、その後、取付金具を緩めて掃除機本体部を集塵部から取り外し、集塵部の上部を開放する。集塵部の上部が開放した状態で、集塵部と台座部、即ち、掃除機本体部が取り外されて集塵部の上部が開放した電気掃除機本体を、集塵部の任意の場所を両手で保持して持ち上げたり、あるいは、一方の手で集塵部の任意の場所、例えば、開放した集塵部の上部をつかんだり、集塵部の外周面に手を添えたりし、他方の手で台座部の任意の位置を保持して持ち上げ、開放した集塵部の上部から塵埃を捨てるようになっている。即ち、集塵部に溜まった塵埃を捨てる際は、使用者が持ち上げやすい位置で集塵部の上部が開放した電気掃除機本体を保持するようになっている。
【０００８】
しかしながら、上記特許文献１および特許文献２に記載の電気掃除機では、使用者によって集塵部や台座部を保持する位置が異なることから、保持する位置によっては、集塵部に溜まった塵埃を捨てる際に、ホース接続口から塵埃がこぼれたり、バランスがうまく取れず、保持性が低下するおそれがあった。
【０００９】
一方、上記特許文献３に記載の電気掃除機では、集塵部の左右側面に１つずつ設けられた把手部を持つことにより、集塵部を台座部から取り外し、塵埃を捨てるようになっている。
【００１０】
しかしながら、上記特許文献３に記載の電気掃除機においては、集塵部を台座部に着脱する構造であるため、集塵部に溜まった塵埃を捨てる作業に伴い、着脱操作が必要となり、塵埃を捨てる作業に手間がかかるおそれがあった。
【００１１】
本願発明の目的は、塵埃を捨てる際に、掃除機本体部を取り外した状態の電気掃除機本体の保持性を良好にし、かつホース接続口から塵埃がこぼれることなく塵埃を捨てることができる電気掃除機を提供することにある。
【課題を解決するための手段】
【００１２】
上記課題を解決するために、本発明は、上部が開放した円筒形の集塵部と、前記集塵部の上部に取付金具を介して着脱可能に配置された掃除機本体部と、前記集塵部と前記掃除機本体部とを移動可能に支持する台座部とから構成される電気掃除機本体を有する電気掃除機において、前記電気掃除機本体は、複数のハンドル部を備え、前記複数のハンドル部は、それぞれ高さの異なる位置に配置されていることを特徴とする。
【００１３】
また、上記課題を解決するために、本発明は、上部が開放した円筒形の集塵部と、前記集塵部の上部に取付金具を介して着脱可能に配置された掃除機本体部と、前記集塵部と前記掃除機本体部とを移動可能に支持する台座部とから構成される電気掃除機本体を有する電気掃除機において、前記電気掃除機本体は、前記集塵部の外周面に設けられたホース接続口と、前記ホース接続口の上方に設けられた第１ハンドル部と、前記第１ハンドル部とは高さが異なる位置に配置された第２ハンドル部とを備えていることを特徴とする。
【００１４】
さらに、上記課題を解決するために、本発明は、上部が開放した円筒形の集塵部と、前記集塵部の上部に取付金具を介して着脱可能に配置された掃除機本体部と、前記集塵部と前記掃除機本体部とを移動可能に支持する台座部とから構成される電気掃除機本体を有する電気掃除機において、前記集塵部は、外周面に設けられたホース接続口と、前記ホース接続口の上方に設けられた第１ハンドル部とを備え、前記台座部は、前記集塵部の下方に取り付けられる台座部本体と、前記台座部本体に形成された第２ハンドル部とを備えていることを特徴とする。
【発明の効果】
【００１５】
本発明によれば、塵埃を捨てる際に、掃除機本体部を取り外した状態の電気掃除機本体の保持性を良好にし、かつホース接続口から塵埃がこぼれることなく塵埃を捨てることができる。
【図面の簡単な説明】
【００１６】
【図１】本発明の第１の実施形態に係る電気掃除機の外観斜視図である。
【図２】本発明の第１の実施形態に係る電気掃除機の外観図である。
【図３】本発明の第１の実施形態に係る電気掃除機の断面図である。
【図４】本発明の第１の実施形態に係る電気掃除機の使用状態を示す図である。
【図５】本発明の第２の実施形態に係る電気掃除機の外観斜視図である。
【図６】本発明の第３の実施形態に係る電気掃除機の外観斜視図である。
【発明を実施するための形態】
【００１７】
以下、本発明の実施の形態を図１から図６を参照して説明する。図１から図４が第１の実施形態を説明する図、図５が第２の実施形態を説明する図、図６が第３の実施形態を説明する図である。なお、同一の部材または部位は同一符号を以って示し、重複した説明は省略する。
【００１８】
（第１の実施形態）
図１において、符号１で総括的に示すのは電気掃除機であり、塵埃を吸い込むための吸引力を発生する電動送風機を備えた電気掃除機本体１００と、一端が電気掃除機本体１００に取付けられる吸引ホース２００と、一端が吸引ホース２００の他端に取付けられて吸引ホース２００に連通する手元ハンドル部３００と、一端が手元ハンドル部３００の他端に取付けられて吸引ホース２００に連通する延長管４００と、一端が延長管４００の他端に取付けられて吸引ホース２００に連通する吸口体５００とから構成される。また、電気掃除機１は、延長管４００の中心軸Ｐ１に沿って手元ハンドル部３００をひねることで、吸口体５００の向きを変えて掃除を行うようになっている。
【００１９】
電気掃除機本体１００は、塵埃を溜めるための集塵部１１０と、この集塵部１１０の上部に設けられた掃除機本体部１２０と、集塵部１１０の下部に設けられた台座部１３０とを備えている。
【００２０】
集塵部１１０は、前面に設けられたホース接続口１１１と、このホース接続口１１１の上方に設けられた第１ハンドル部１１２と、左右側面に設けられた一対の取付金具１１３とを備えている。
【００２１】
掃除機本体部１２０は、内部にファンモータや回路基板等の電気品を備えており、集塵部１１０の上部に取り付けられた状態で、集塵部１１０の左右側面に設けられた一対の固定金具１１３により固定されるようになっている。
台座部１３０は、台座部本体１３１と、台座部本体１３１の底面前方部に配置された一対の自在車輪１３２と、台座部本体１３１の側面後方部に配置された一対の大車輪１３３とを備え、集塵部１１０および集塵部１１０の上部に取り付けられた掃除機本体部１２０を移動可能に支持している。また、台座部１３０は、前方部に設けられた第２ハンドル部１３４を備えている。
【００２２】
吸引ホース２００は、塵埃を電気掃除機本体１００に搬送するための搬送通路としての機能と、電気掃除機本体１００を移動させるための移動引っ張り手段としての機能をもっている。この吸引ホース２００は、その一端が接続部２１０を介して手元ハンドル部３００に接続され、他端が接続部２１０を介してホース接続部１１１に接続されている。
【００２３】
手元ハンドル部３００は、吸引ホース２００と延長管４００を連通させる機能と、電気掃除機本体１００の運転制御機能及び移動機能と、吸口体５００の動きを制御する機能を備えている。この手元ハンドル部３００は、延長管４００と吸引ホース２００を連結する連結管部３０１と、連結管部３０１の上方に設けられたグリップ部３０２と、電気掃除機本体１００および吸口体５００の運転制御を行う操作スイッチ部３０３とを備えている。
【００２４】
延長管４００は、一端が手元ハンドル部３００と接続される第１延長管４０１と、一端が吸口体５００と接続される第２延長管４０２と、第１延長管４０１の他端と第２延長管４０２の他端とを連結する図示しないロック機構とから構成されている。また、延長管４００は、ロック機構を解除することにより、第１延長管４０１と第２延長管４０２が相互に移動し、伸縮可能な構造となっている。なお、この実施の形態では、第１延長管４００に第２延長管４０２が収納される構成となっている。
【００２５】
吸口体５００は、塵埃を吸い込むための吸引口を底面に備えた吸口本体５０１と、吸口本体５０１と延長管４００を連結し、延長管４００を介して手元ハンドル部３００の動作を吸口本体５０１に伝達する自在連結部５０２とで構成されている。また、吸口本体５０１は、回転ブラシ（図示省略）と、この回転ブラシを回転させる駆動機構（図示省略）とを内部に備えることができる。
【００２６】
自在連結部５０２は、延長管４００を上下に移動させる第１の腕部５０２ａと、延長管４００を左右に移動させる第２の腕部５０２ｂとで構成され、手元ハンドル部３００の動きに対して、常に吸口本体５００の底面を清掃面（床面）に接するように動作させる。また、自在連結部５０２は、吸口本体５０１から吸い込んだ塵埃を含む空気流が延長管４００に導かれるように連通している。
【００２７】
そして、この実施形態に係る電気掃除機は、電気掃除機本体１００の外周面に設けられた複数のハンドル部を備え、この複数のハンドル部は、電気掃除機本体１００の高さ方向の上下位置に取り付けられる構成に特徴がある。
【００２８】
具体的には、電気掃除機本体１００の前面部分の高さの異なる位置に複数のハンドル部を設けた構成、例えば、図１で示すように、電気掃除機本体１００の前面部分で、第１ハンドル部１１２と第２ハンドル部１３４が、一対の大車輪１３３の回転軸と対向するように上下に配置した構成に特徴がある。
【００２９】
円筒型の集塵部１１０を備えた電気掃除機において、集塵部１１０に溜まった塵埃を捨てる際は、集塵部１１０と台座部１３０、即ち、掃除機本体部１２０が取り外されて集塵部１１０の上部が開放した電気掃除機本体１０１（図４参照）を持ち上げた状態で、開放した集塵部１１０の上部を下側に傾けて塵埃を捨てることが一般的である。
【００３０】
この実施形態では、図１で示すように、２つのハンドル部（第１ハンドル部１１２と第２ハンドル部１３４）が、電気掃除機本体１００の前面で一直線上となるように配置されている。このため、塵埃を捨てる際は、集塵部１１０の上部が開放した電気掃除機本体１０１を、第１ハンドル部１１２と第２ハンドル部１３４により保持するので、集塵室１１０の上方が開放した電気掃除機本体１０１を持ち上げ易く、かつ持ち上げる際の保持性を良好にすることかできる。
【００３１】
電気掃除機本体１００の前面に配置された２つのハンドル部（第１ハンドル部１１２と第２ハンドル部１３４）を保持し、集塵部１１０の上部が開放した電気掃除機本体１０１を持ち上げた状態では、通常、２つのハンドル部（第１ハンドル部１１２と第２ハンドル部１３４）が配置された前面と対向する後面が下側となるよう、集塵部１１０の上面が傾けられる。
【００３２】
即ち、この実施形態では、集塵部１１０の後側から塵埃を捨てることになるので、集塵部１１０の前面に設けられたホース接続口１１１から塵埃がこぼれ落ちることを防止できる。また、塵埃を集塵部１１０の後側から捨てることにより、集塵部１１０の左右側面に設けられた一対の取付金具１１３に塵埃が付着するのを防止することができる。
【００３３】
次に、図２および図３を参照して、電気掃除機本体の構造について説明する。図２は、第１の実施形態にかかる電気掃除機の断面図であり、図２（ａ）が平面図、図２（ｂ）が背面図である。図３は、第１の実施形態に係る電気掃除機の断面図である。
図２および図３において、電気掃除機本体１００は、集塵部１１０と、この集塵部１１０の上部にフィルター１２４を介して取り付けられる掃除機本体部１２０と、集塵部１１０の下部に取り付けられる台座部１３０とから構成されている。
【００３４】
掃除機本体部１２０は、ファンモータ１２１を覆うモーターカバー１２２と、モーターカバー１２２の上方に配置され、モーターカバー１２２にネジ止めされる上カバー１２３とで構成されている。モーターカバー１２２に上カバー１２３を取り付けることで空間を形成し、この空間にファンモータ１２２を収容する送風機室を設けるとともに、図示しない回路基板等の電気品が収納されている。また、掃除機本体部１２０は、上面に設けられた取手部１２６と、左右両側後方部に設けられた一対の排気口１２７と、インジケータ１２８と電源スイッチ１２９とを備えている。
【００３５】
取手部１２６は、主に、掃除機本体部１２０を集塵部１１０に対して着脱する際に使用するものである。また、一対の排気口１２７は、清掃作業中において、塵埃が取り除かれた空気流を外部へ排気するものである。
【００３６】
台座部１３０は、台座部本体１３１と、台座部本体１３１の底面前方に設けられた一対の自在車輪１３２と、台座部本体１３１の側面後方に設けられた一対の大車輪１３３を備えている。また、台座部１３０は、台座部本体１３１の後方部分に補助吸口などの付属品を収納する収納部１３５を備えている。
【００３７】
次に、図１から図３を基に、図４を参照して、第１の実施形態に係る電気掃除機による清掃作業の動作を説明する。
【００３８】
まず、操作スイッチ部３０３あるいは電源スイッチ１２９を操作し、電気掃除機１を動作可能な状態とする。使用者は、グリップ３０２を握り、延長管４００を介して吸口体５００を前後方向（Ｖ１、Ｖ２方向）へ往復させることで、ファンモータ１２２の吸引力により発生した空気流とともに、清掃面の塵埃を吸口体５００から吸い込む。吸口体５００から吸い込まれた塵埃を含む空気流は、延長管４００と手元ハンドル３００と吸引ホース２００を介して電気掃除機本体１００に導かれる。電気掃除機本体１００に導かれた塵埃を含む空気流は、電気掃除機本体１００の内部に設けられたフィルター１２４を介して塵埃と空気流に分離され、分離された空気流は、ファンモータ１２２の吸引力により掃除機本体部１２０側へ引っ張られて排気口１２７から外部へ排気され、分離された塵埃は集塵部１１０に落下して集塵される。塵埃の集塵状況は、インジケータ１２８によりを確認することにより把握できる。
【００３９】
集塵部１１０に集塵された塵埃を捨てる場合、まずは、電気掃除機本体１００から、吸引ホース２００と手元ハンドル３００と延長管４００と吸口体５００を取り外すとともに、取付金具１１３による固定を解除し、掃除機本体部１２０を集塵部１１０から取り外す。
【００４０】
次に、電気掃除機の使用者は、図４（ａ）で示すように、電気掃除機本体１００の前面に一直線上に設けられた第１ハンドル部１１２と第２ハンドル部１３４を握り、掃除機本体部１２０を取り外した状態の電気掃除機本体１０１（集塵部１１０と台座部１３０）を上方へ持ち上げる。第１ハンドル部１１２と第２ハンドル部１３４を保持することにより、電気掃除機本体１０１が持ち上げ易く、かつ安定した状態で電気掃除機本体１０１を持ち上げることができるので、塵埃を捨てる際に、電気掃除機本体１０１の保持性を良好にすることができる。
【００４１】
そして、図４（ｂ）で示すように、第１ハンドル部１１２と第２ハンドル部１３４を保持し、開放された集塵部１１０の上部が下方向へ向くように電気掃除機本体１０１を傾けることで、集塵部１１０に溜まった塵埃を捨てることができる。
【００４２】
このように、本実施形態によれば、電気掃除機本体１００の前面に、高さの異なる位置で一直線上となるように２つのハンドル部、即ち、集塵部１１０に設けられた第１ハンドル部１１２と、台座部１３０に設けられた第２ハンドル部１３４を、高さの異なる位置で一直線上となるように配置しているので、塵埃を捨てる際に、電気掃除機本体１０１が持ち上げ易く、かつ開放された集塵部１１０の上部を傾ける方向が特定する。
【００４３】
即ち、本実施形態によれば、第１ハンドル部１１２と第２ハンドル部１３４が、電気掃除機本体１００の前面に一直線上に設けられていることから、集塵部１１０は、その後側が下側となるように傾けられる。このため、開放された集塵部１１０の上部の後側から塵埃を捨てることになるので、塵埃を捨てる際にホース接続口１１１から塵埃がこぼれるのを防止することができる。また、開放された集塵部１１０の上部の後側から塵埃を捨てるので、集塵部１１０の左右側面に設けられた一対の取付金具１１３に塵埃が付着するのを防止することができる。
【００４４】
なお、この実施形態では、掃除機本体部１２０を取り外した状態の電気掃除機本体１０１を、第１ハンドル部１１２と第２ハンドル部１３４を保持して上方に持ち上げているが、掃除機本体部１２０を取り外した状態の電気掃除機本体１０１を持ち上げる際には、一対の大車輪１３３を回転させながら持ち上げても良い。この場合、一対の大車輪１３３の回転力Ｔ（遠心力）が加わるので、集塵部１１０の上部が開放した電気掃除機本体１０１をよりスムーズに持ち上げることができる。
【００４５】
（第２の実施形態）
次に、図５を参照して、本発明に係る電気掃除機の第２の実施形態について説明する。図５は、本発明の第２の実施形態に係る電気掃除機の外観斜視図である。
【００４６】
この第２の実施形態に係る電気掃除機は、第２ハンドル部のみが上述した第１の実施形態と相違しており、他の部分の構成および動作については、上述した第１の実施形態と同一の構成を備えている。以下、本発明の第２の実施形態に係る電気掃除機の構成について説明し、その他の部分については、詳細な説明は省略する。
【００４７】
図５において、電気掃除機本体１００ａは、塵埃を溜めるための集塵部１１０ａと、この集塵部１１０ａの上部に設けられた掃除機本体部１２０と、集塵部１１０ａの下部に設けられた台座部１３０ａとを備えている。
【００４８】
集塵部１１０ａは、前面に設けられたホース接続口１１１と、このホース接続口１１１の上方に設けられた第１ハンドル部１１２と、一方の側面に設けられた第２ハンドル部１３４とを備えている。
【００４９】
この第２の実施形態に係る電気掃除機は、２つのハンドル部（第１ハンドル部１１２、第２ハンドル部１３４）を集塵部１１０ａの外周面の高さが異なる位置に設けた構成、具体的には、第２ハンドル部１３４を集塵部１１０ａの一方の側面で第１ハンドル部１１２よりも高い位置に配置した構成を特徴としている。
【００５０】
このような構成とすることにより、上述した第１の実施形態と同様の効果を得ることができる。
【００５１】
また、第２の実施形態では、第２ハンドル部１３４が、第１ハンドル部１１２に対して９０度ずれた位置に配置されている。このため、集塵部１１０ａに溜まった塵埃を捨てる際に、第２ハンドル部１３４と対向する側、即ち、集塵部１１０ａの他方の側面側が下向きとなるように集塵部１１０ａを傾けることもできる。しかしながら、第１の実施形態と同様、第１ハンドル部１１２と対向する後側が下向きとなるように集塵部１１０ａを傾ける方が、一対の大車輪１３３の回転力Ｔ（遠心力）を利用できるので、集塵部１１０ａの上部が開放した電気掃除機本体１０１をよりスムーズに持ち上げることができる。
【００５２】
なお、第２の実施形態においては、掃除機本体部１２０を集塵部１１０ａに固定するための取付金具が設けられる位置に第２ハンドル部１３４を配置している。このため、図５には取付金具が図示されていないが、電気掃除機の使用時に邪魔にならない位置に設けられている。
【００５３】
（第３の実施形態）
次に、図６を参照して、本発明に係る電気掃除機の第３の実施形態について説明する。図６は、本発明の第３の実施形態に係る電気掃除機の外観斜視図である。
【００５４】
この第３の実施形態に係る電気掃除機は、第２ハンドル部のみが上述した第１の実施形態と相違しており、他の部分の構成および動作については、上述した第１の実施形態と同一の構成を備えている。以下、本発明の第３の実施形態に係る電気掃除機の構成について説明し、その他の部分については、詳細な説明は省略する。
【００５５】
図６において、電気掃除機本体１００ｂは、塵埃を溜めるための集塵部１１０と、この集塵部１１０の上部に設けられた掃除機本体部１２０と、集塵部１１０の下部に設けられた台座部１３０ｂとを備えている。
集塵部１１０は、前面に設けられたホース接続口１１１と、このホース接続口１１１の上方に設けられた第１ハンドル部１１２と、台座部１３０ｂの一方の側面（側方）に設けられた第２ハンドル部１３４とを備えている。
【００５６】
この第３の実施形態に係る電気掃除機は、２つのハンドル部（第１ハンドル部１１２、第２ハンドル部１３４）を電気掃除機本体１００ｂの高さが異なる位置に設けた構成、具体的には、第２ハンドル部１３４を台座部１３０ｂの一方の側面に配置した構成を特徴としている。
【００５７】
このような構成とすることにより、上述した第１の実施形態と同様の効果を得ることができる。
【００５８】
また、第３の実施形態では、第２の実施形態と同様、第２ハンドル部１３４が、第１ハンドル部１１２に対して９０度ずれた位置に配置されている。このため、集塵部１１０に溜まった塵埃を捨てる際に、第２ハンドル部１３４と対向する側が下向きとなるように集塵部１１０を傾けることもできる。しかしながら、第１の実施形態と同様、第１ハンドル部１１２と対向する側が下向きとなるように集塵部１１０を傾ける方が、一対の大車輪１３３の回転力Ｔ（遠心力）を利用できるので、集塵部１１０の上部が開放した電気掃除機本体１０１をよりスムーズに持ち上げることができる。
【００５９】
以上述べたように、本発明の各実施形態における電気掃除機は、上部が開放した円筒形の集塵部１１０と、集塵部１１０の上部に取付金具１１３を介して着脱可能に配置された掃除機本体部１２０と、集塵部１１０と掃除機本体部１２０とを移動可能に支持する台座部１３０とから構成される電気掃除機本体１００を有する電気掃除機１であって、電気掃除機本体１００は複数のハンドル部（第１ハンドル部１１２と第２ハンドル部１３４）を備え、複数のハンドル部（第１ハンドル部１１２と第２ハンドル部１３４）は、それぞれ高さの異なる位置に配置されている。
【００６０】
また、複数のハンドル部の一つ（第１ハンドル部１１２）は、集塵部１１０に設けられている。
【００６１】
また、複数のハンドル部の一つ（第２ハンドル部１３４）は、台座部１３０に設けられている。
【００６２】
また、集塵部１１０に設けられたハンドル部（第１ハンドル部１１２）と台座部１３０に設けられたハンドル部（第２ハンドル部１３４）は、一直線上となるように配置されている。
【００６３】
さらに、本発明の各実施形態における電気掃除機は、上部が開放した円筒形の集塵部１１０と、集塵部１１０の上部に取付金具１１３を介して着脱可能に配置された掃除機本体部１２０と、集塵部１１０と掃除機本体部１２０とを移動可能に支持する台座部１３０とから構成される電気掃除機本体１００を有する電気掃除機１であって、電気掃除機本体１００は、集塵部１１０の外周面に設けられたホース接続口１１１と、ホース接続口１１１の上方に設けられた第１ハンドル部１１２と、第１ハンドル部１１２とは高さが異なる位置に配置された第２ハンドル部１３４とを備えている。
【００６４】
また、ホース接続口１１１と第１ハンドル部１１２は、集塵部１１０、１１０ａ、１１０ｂの前面に配置され、第２ハンドル部１３４は、集塵部１１０、１１０ａ、１１０ｂの側面の第１ハンドル部１１２の位置よりも高い位置に配置される。
【００６５】
さらに、本発明の各実施形態における電気掃除機は、上部が開放した円筒形の集塵部１１０と、集塵部１１０の上部に取付金具１１３を介して着脱可能に配置された掃除機本体部１２０と、集塵部１１０と掃除機本体部１２０とを移動可能に支持する台座部１３０とから構成される電気掃除機本体１００を有する電気掃除機であって、集塵部１１０は、外周面に設けられたホース接続口１１１と、ホース接続口１１１の上方に設けられた第１ハンドル部１１２とを備え、台座部１３０、１３０ａは、集塵部１１０、１１０ａ、１１０ｂの下方に取り付けられる台座部本体１３１と、台座部本体１３１に形成された第２ハンドル部１３４とを備えている。
【００６６】
また、ホース接続口１１１と第１ハンドル部１１２は、集塵部１１０、１１０ａ、１１０ｂの前面に配置され、第２ハンドル部１３４は、台座部本体１３１の側方部分に形成される。
【００６７】
また、ホース接続口１１１と第１ハンドル部１１２は、集塵部１１０、１１０ａ、１１０ｂの前面に配置され、第２ハンドル部１３４は、台座部本体１３１の前方部分に形成されている。
【００６８】
また、第２ハンドル部１３４は、第１ハンドル部１１２に対して９０度ずれた位置に配置されている。
【符号の説明】
【００６９】
１…電気掃除機、１００…電気掃除機本体、１００ａ…電気掃除機本体、１００ｂ…電気掃除機本体、１１０…集塵部、１１１…ホース接続口、１１２…第１ハンドル部、１１３…一対の取付金具、１２０…掃除機本体部、１２１…ファンモータ、１２２…モーターカバー、１２３…上カバー、１２４…フィルター、１２６…取手部、１２７…一対の排気口、１２８…インジケータ、１２９…電源スイッチ、１３０…台座部、１３０ａ…台座部、
１３０ｂ…台座部、１３１…台座部本体、１３２…一対の自在車輪、１３３…一対の大車輪、１３４…第２ハンドル部、２００…吸引ホース、２１０…接続部、３００…手元ハンドル部、３０１…連結管部、３０２…グリップ部、３０３…操作スイッチ部、４００…延長管、４０１…第１延長管、４０２…第２延長管、５００…吸口体、５０１…吸口本体、５０２…自在連結部、Ｐ１…中心軸、Ｔ…回転力。
【図１】
2014193235.tif 000003
【図２】
2014193235.tif 000004
【図３】
2014193235.tif 000005
【図４】
2014193235.tif 000006
【図５】
2014193235.tif 000007
【図６】
2014193235.tif 000008